(57)【要約】【課題】ＤＩＰ工程中を循環し、ＤＩＰの洗浄・稀釈に用いられるＤＩＰ白水からインキ、灰分、ピッチ等の異物を除去し、ＤＩＰ品質を向上させる方法を提供する。【解決手段】ＤＩＰ工程における白水フローテーターにポリカチオンを添加することを特徴とするＤＩＰ白水からの異物除去方法。【選択図】なし【特許請求の範囲】
【請求項１】
ＤＩＰ工程においてポリカチオンを白水フローテーターに添加することを特徴とするＤＩＰ白水からの異物除去方法。
【請求項２】
上記ポリカチオンが、カチオン性の、ポリアクリルアミド、ポリダッドマック、ポリエチレンイミン、ポリエチレンオキサイド、ポリアミドポリアミンのうち１種類以上であることを特徴とする請求項１に記載のＤＩＰ白水からの異物除去方法。
【発明の詳細な説明】
【技術分野】
【０００１】
本発明は、ＤＩＰ工程における白水から異物を除去する方法に関するものであり、詳しくは、ＤＩＰ工程における白水フローテーターにポリカチオンを添加し、ＤＩＰ白水からインキ、灰分、ピッチ等の異物を効果的に除去する方法に関するものである。
【背景技術】
【０００２】
ＤＩＰ白水は、ＤＩＰ工程を循環し洗浄水や稀釈水として用いられる。従ってＤＩＰ白水から異物を除去することは、ＤＩＰの品質にとって重要である。通常、白水フローテーターによる浮上分離効果によってインキ、灰分、ピッチ等の異物がＤＩＰ白水から除去される。
【０００３】
古紙利用の拡大に伴い古紙原料の質が悪化した結果、ＤＩＰ工程に持ち込まれる異物も増加する傾向にある。加えてＤＩＰに要求される品質が年々高くなってきていることもあり、白水フローテーターによる浮上分離効果だけでは、ＤＩＰ白水からの異物の除去は不充分となってきている。インキ、灰分、ピッチ等の異物の中でも特に灰分の除去が不充分である。
【０００４】
ところで、離解古紙の脱墨のために用いられる脱墨フローテーターにおいては、水溶性両性アクリルアミド系重合体を添加することによって灰分の効果的な除去が可能であるとの知見が得られている（例えば、特許文献１参照）。
【特許文献１】特開２００２−１１５１９１号公報
【発明の開示】
【発明が解決しようとする課題】
【０００５】
本発明は、ＤＩＰ白水からインキ、灰分、ピッチ等の異物を効果的に除去する方法を提供することを目的としてなされたものである。
【課題を解決するための手段】
【０００６】
本発明者は、ＤＩＰ白水からインキ、灰分、ピッチ等の異物を効果的に除去する方法について鋭意検討を重ねた結果、ＤＩＰ工程における白水フローテーターにポリカチオンを添加することにより、ＤＩＰ白水からインキ、灰分、ピッチ等の異物を効果的に除去できることを見出し本発明に至った。
【発明の効果】
【０００７】
本発明のＤＩＰ白水からの異物除去方法によれば、ＤＩＰ工程における白水フローテーターにポリカチオンを添加することにより、インキ、灰分、ピッチ等の異物の除去率が向上し、ＤＩＰ白水からインキ、灰分、ピッチ等の異物を効果的に除去することができる。
【発明を実施するための最良の形態】
【０００８】
本発明に用いるポリカチオンの白水フローテーターへの添加量は、白水中の異物の総量によって決めれば良く、特に制限はない。しかしながら、白水フローテーター処理量当たり有効成分量として３ｐｐｍより少ないと異物の凝集効果が不充分となり、一方白水フローテーターにポリカチオンを添加し続けても凝集効果が頭打ちに達し、最終的除去率はあまり変わらないばかりか、凝集に寄与しなかったポリカチオンが後工程で悪影響を及ぼす可能性があって好ましくない。以上のことから、白水フローテーター処理量当たり有効成分量としては３〜５０ｐｐｍであることが好ましく、４〜７ｐｐｍであることがより好ましい。ポリカチオンは適宜希釈して白水フローテーターへ添加する。
【０００９】
本発明に用いるポリカチオンは、１分子中にカチオンサイトを複数有する化合物であればその種類やカチオン強度に特に制限はないが、カチオン性の、ポリアクリルアミド、ポリダドマック（Ｐ−ＤＡＤＭＡＣ）、ポリエチレンイミン、ポリエチレンオキサイド、ポリアミドポリアミンが好ましく、カチオン性ポリアクリルアミドがより好ましい。ポリカチオンは単独または２種以上を併用しても良い。
【００１０】
白水フローテーターへポリカチオンの添加する際には、ポリカチオンそれ自身及び白水中の異物の凝集を悪化させない範囲で、各種分散剤、消泡剤、破泡剤、レベリング剤等の界面活性剤等を併用してもよい。
【００１１】
本発明における白水フローテーターへのポリカチオン添加箇所に特に制限はなく、一箇所または複数箇所に添加すればよいが、白水フローテーターへの白水入口配管を添加箇所とすることが好ましいので、複数箇所に添加する場合は、その一箇所が白水入口配管であることが好ましい。また、複数箇所に添加する場合は、ポリカチオン等の種類や量が異なっていてもよい。更に、異物の凝集状況をモニタリングして、ポリカチオンの添加量や添加箇所を時々変更してもよい。
【実施例】
【００１２】
以下に実施例を挙げるが、本発明はこの実施例によりなんら限定されるものではない。
【００１３】
実施例１
色上古紙を生産しているＤＩＰ実機工程における白水フローテーターに、固形分濃度１％に稀釈したカチオン性ポリアクリルアミドを白水フローテーター処理量当たり有効成分量として３ｐｐｍの濃度で連続添加した。カチオン性ポリアクリルアミドの添加箇所は白水フローテーター下部の白水入口配管とした。白水フローテーター入口及び出口の懸濁物質濃度（ＪＩＳ  Ｋ  ０１０２）、灰分（ＪＩＳ  Ｐ  ８００３）を測定し、懸濁物質除去率及び灰分除去率を算出した。結果を比較例と合わせて表１に記載する。
【００１４】
実施例２〜５
カチオン性ポリアクリルアミドを白水フローテーター処理量当たり有効成分量として表１に実施例２〜５として記載されている濃度で連続添加した他は実施例１と同様にして懸濁物質除去率及び灰分除去率を算出した。
【００１５】
実施例６
実施例１で用いたカチオン性ポリアクリルアミドに代えて、カチオン性ポリダドマックを白水フローテーター処理量当たり有効成分量として５ｐｐｍの濃度で連続添加した他は実施例１と同様にして懸濁物質除去率及び灰分除去率を算出した。
【００１６】
実施例７
実施例１で用いたカチオン性ポリアクリルアミドに代えて、カチオン性ポリエチレンイミンを白水フローテーター処理量当たり有効成分量として５ｐｐｍの濃度で連続添加した他は実施例１と同様にして懸濁物質除去率及び灰分除去率を算出した。
【００１７】
実施例８
実施例１で用いたカチオン性ポリアクリルアミドに代えて、カチオン性ポリエチレンオキサイドを白水フローテーター処理量当たり有効成分量として５ｐｐｍの濃度で連続添加した他は実施例１と同様にして懸濁物質除去率及び灰分除去率を算出した。
【００１８】
実施例９
実施例１で用いたカチオン性ポリアクリルアミドに代えて、カチオン性ポリアミドポリアミンを白水フローテーター処理量当たり有効成分量として５ｐｐｍの濃度で連続添加した他は実施例１と同様にして懸濁物質除去率及び灰分除去率を算出した。
【００１９】
（比較例１）
実施例１で用いたカチオン性ポリアクリルアミドに代えて、水溶性両性アクリルアミド系重合体を白水フローテーター処理量当たり有効成分量として５ｐｐｍ連続添加した他は実施例１と同様にして懸濁物質除去率及び灰分除去率を算出した。
【００２０】
【表１】
2007197851.tif 000002
【００２１】
上記表１における実施例と比較例から明らかなように、ポリカチオンを白水フローテーターに添加した場合の懸濁物質除去率と灰分除去率は、水溶性両性アクリルアミド系重合体からなる凝集剤を白水フローテーターに添加した場合よりも高い値を示している。
【００２２】
白水フローテーターにおける懸濁物質除去率及び灰分除去率が向上した結果、ＤＩＰ中のチリが減りＤＩＰ品質を向上させることが可能となった。